(57)【要約】【課題】内部構造を簡略化することで更に小型化し、電磁石と永久磁石を用いて歩行を可能とする歩行玩具を提供する。【解決手段】第一可動部と第二可動部からなる歩行玩具であって、前記第一可動部及び前記第二可動部は、支持軸により回動自在に結合され、前記第一可動部は、電池を内蔵し、且つ、永久磁石を備える共に、電磁石を通電させるスイッチを底面板に備え、前記第二可動部は、前記スイッチにより作動する電磁石を備え、前記第二可動部の下端を接地部とする後足とし、前記第一可動部の底部の前端を第二可動部の下端より前方に突出させて接地部としての前足とした。【選択図】図１
2008048879.tif 000002
【特許請求の範囲】
【請求項１】
第一可動部と第二可動部からなる歩行玩具であって、前記第一可動部及び前記第二可動部は、支持軸により回動自在に結合され、前記第一可動部は、電池を内蔵し、且つ、永久磁石を備える共に、電磁石を通電させるスイッチを底面板に備え、前記第二可動部は、前記スイッチにより作動する電磁石を備え、前記第二可動部の下端を接地部とする後足とし、前記第一可動部の底部の前端を第二可動部の下端より前方に突出させて接地部としての前足としたことを特徴とする歩行玩具。
【請求項２】
請求項１において、前記第一可動部及び第二可動部の大部分を覆う形象体を模したカバーと、前記カバーの側面には、揺動可能な装飾体可動部を備えたことを特徴とする歩行玩具。
【請求項３】
請求項１又は２において、前記支持軸は、第一可動部の両側面の前方上方に形成されていることを特徴とする歩行玩具。
【請求項４】
請求項１乃至３のいずれか１項において、前記永久磁石と前記電磁石は、前記支持軸から同一の長さの位置に備えたことを特徴とする歩行玩具。
【請求項５】
請求項１乃至４のいずれか１項において、前記第一可動部のスイッチは、前記底部における前足に設けられていること特徴とする歩行玩具。
【請求項６】
請求項１乃至５のいずれか１項において、前記第二可動部の下端は、円弧状の曲面で形成されると共に、前記第二可動部は、第一可動部より重量が軽いことを特徴とする歩行玩具。
【請求項７】
請求項１乃至６のいずれか１項において、前記電磁石が磁性化したとき、前記電磁石と永久磁石による作用によって、前記第一可動部と前記第二可動部の接地部の幅が狭まることを特徴とする歩行玩具。
【請求項８】
請求項１乃至７のいずれか１項において、前記歩行玩具の重心位置は、前記第一可動部と前記第二可動部との接地部の幅が前後に開いた時には、前記第二可動部の接地部における地面との接地点より前方に位置し、前記第一可動部と前記第二可動部との接地部の幅が狭まった時には、前記第二可動部の接地点より後方に位置することを特徴とする歩行玩具。
【請求項９】
請求項１乃至８のいずれか１項に記載した歩行玩具に対し、前記歩行玩具の前記永久磁石の前方磁極と同磁極の磁石を前から近づけることにより、近づけた磁石を避ける方向に進行方向を変化させ、又、逆極性の磁石を近づけることにより、近づけた磁石に向けて進行方向を変化させることを特徴とする歩行玩具の歩行方向変更方法。
【請求項１０】
請求項９において、前記磁石を箱に収納し、前記歩行玩具の永久磁石における前方磁極と同極側の前記箱の表面には怖い顔を描き、前記歩行玩具の永久磁石における前方磁極と逆極側の前記箱の表面にはにこやかな顔を描き、この箱に収納した磁石を歩行玩具に近づけることを特徴とする歩行玩具の歩行方向変更方法。
【発明の詳細な説明】
【技術分野】
【０００１】
本発明は、歩行玩具に関するものである。
【背景技術】
【０００２】
従来、玩具の駆動装置としては、モータ（駆動源）の回転力を歯車を介して車輪に伝達し、該歯車で減速して車輪を回転させたり、前記モータの動力をリンクを介して手足等に伝達し、該リンクによって手足等を揺動させたりするものが知られている。
【０００３】
しかしながら、モータを使用する場合には玩具の価格が高価なものとなる恐れがある。これは、小型玩具の場合では、電源及びモータを組み込むと、それらは小さくならざるを得ないが、小型モータの回転動力で大きな動作を行う為には、多くのエネルギーを必要とし、しかもモータ歯車からの動力を歯車機構を介して伝達するものでは特に電池の消耗が激しいものである。そのため、小型玩具にモータを使用することは、適さないという問題がある。
【０００４】
そこで、本願出願人が出願を行った特開２００３−２５１０８２の「動作玩具の駆動装置及び動作玩具」では、電磁石と磁性体との間に作用する磁力によって、動作体を往復運動させることによって、車輪や可動部を動作させるものであり、玩具の小型化に成功している。
【特許文献１】特開２００３−２５１０８２号
【発明の開示】
【発明が解決しようとする課題】
【０００５】
このように、電磁石と磁性体を用いた駆動装置を用い、玩具の小型化に成功しているものの、その内部構造は煩雑なものとなっている。そこで、本発明は、上記従来技術の問題点に斯かる実情に鑑みなされたもので、内部構造を簡略化することで更に小型化し、電磁石と永久磁石を用いて歩行を可能とする歩行玩具を提供することを課題とする。
【課題を解決するための手段】
【０００６】
請求項１記載の発明は、第一可動部と第二可動部からなる歩行玩具であって、前記第一可動部及び前記第二可動部は、支持軸により回動自在に結合され、前記第一可動部は、電池を内蔵し、且つ、永久磁石を備える共に、電磁石を通電させるスイッチを底面板に備え、前記第二可動部は、前記スイッチにより作動する電磁石を備え、前記第二可動部の下端を接地部とする後足とし、前記第一可動部の底部である底面板の前端を第二可動部の下端より前方に突出させて接地部としての前足としたことを特徴とする。
【０００７】
請求項２記載の発明は、請求項１において、前記第一可動部及び第二可動部の大部分を覆う形象体を模したカバーと、前記カバーの側面には、揺動可能な装飾体可動部を備えたことを特徴とする。
【０００８】
請求項３記載の発明は、請求項１又は２において、前記支持軸は、第一可動部の両側面の前方上方に形成されていることを特徴とする。
【０００９】
請求項４記載の発明は、請求項１乃至３のいずれか１項において、前記永久磁石と前記電磁石は、前記支持軸から同一の長さの位置に備えたことを特徴とする。
【００１０】
請求項５記載の発明は、請求項１乃至４のいずれか１項において、前記第一可動部のスイッチは、前記底面板における前足に設けられていることを特徴とする。
【００１１】
請求項６記載の発明は、請求項１乃至５のいずれか１項において、前記第二可動部の下端は、円弧状の曲面で形成されると共に、前記第二可動部は、第一可動部より重量が軽いことを特徴とする。
【００１２】
請求項７記載の発明は、請求項１乃至６のいずれか１項において、前記電磁石が磁性化したとき、前記電磁石と永久磁石による作用によって、前記第一可動部と前記第二可動部の接地部の幅が狭まることを特徴とする。
【００１３】
請求項８記載の発明は、請求項１乃至７のいずれか１項において、前記歩行玩具の重心位置は、前記第一可動部と前記第二可動部との接地部の幅が前後に開いた時には、前記第二可動部の接地部における地面との接地点より前方に位置し、前記第一可動部と前記第二可動部との接地部の幅が狭まった時には、前記第二可動部の接地点より後方に位置することを特徴とする。
【００１４】
請求項９記載の発明は、請求項１乃至８のいずれか１項に記載した歩行玩具に対し、前記歩行玩具の前記永久磁石の前方磁極と同磁極の磁石を前から近づけることにより、近づけた磁石を避ける方向に進行方向を変化させ、又、逆極性の磁石を近づけることにより、近づけた磁石に向けて進行方向を変化させることを特徴とする。
【００１５】
請求項１０記載の発明は、請求項９において、前記磁石を箱に収納し、前記歩行玩具の永久磁石における前方磁極と同極側の前記箱の表面には怖い顔を描き、前記歩行玩具の永久磁石における前方磁極と逆極側の前記箱の表面にはにこやかな顔を描き、この箱に収納した磁石を歩行玩具に近づけることを特徴とする。
【発明の効果】
【００１６】
請求項１記載の発明によれば、第一可動部と第二可動部からなる歩行玩具であって、第一可動部及び第二可動部は、支持軸により回動自在に結合され、第一可動部は、電池を内蔵し、且つ、永久磁石を備える共に、電磁石を通電させるスイッチを底面板に備え、第二可動部は、スイッチにより作動する電磁石を備え、第二可動部の下端を接地部とする後足とし、第一可動部の底部の前端を第二可動部の下端より前方に突出させて接地部としての前足とし、前記底面板に備えたスイッチが地面と接触状態又は非接触状態となる度に、該電磁石が磁力を帯びたり失ったりし、これによる永久磁石との作用から、歩行玩具の前足及び後足は閉じたり開いたりする。したがって歩行玩具は、歩行することができる。
【００１７】
請求項２記載の発明によれば、第一可動部及び第二可動部の大部分を覆う形象体を模したカバーと、カバーの側面には、揺動可能な装飾体可動部を備えることによって、動きの変化を大きくし、趣向の高い歩行玩具とすることができる。
【００１８】
請求項３記載の発明によれば、支持軸は、第一可動部の両側面の前方上方に形成することによって、歩行玩具の重心バランスを調整し確実に歩行させることができる。
【００１９】
請求項４記載の発明によれば、永久磁石と電磁石は、支持軸から同一の長さの位置とすることによって、永久磁石と電磁石による作用を確実なものとすることができる。
【００２０】
請求項５記載の発明によれば、第一可動部のスイッチは、底部における前足に設けることによって、歩行玩具の前足が閉じたり開いたりする度に、確実にスイッチの作動させることができる。
【００２１】
請求項６記載の発明によれば、第二可動部の下端は、円弧状の曲面で形成されると共に、第二可動部は、第一可動部より重量が軽いことによって、歩行玩具の後足を前方へと引き寄せる際に、後足と地面との摩擦を軽減し、確実に前方へと引き寄せることができる。
【００２２】
請求項７記載の発明によれば、電磁石が磁性化したとき、電磁石と永久磁石による作用によって、第一可動部と第二可動部の接地部の幅が狭まるようにすることによって、電磁石で、前足及び後足の歩幅の制御をすることができる。
【００２３】
請求項８記載の発明によれば、歩行玩具の重心位置は、第一可動部と第二可動部との接地部の幅が前後に開いた時には、第二可動部の接地部における地面との接地点より前方に位置し、第一可動部と第二可動部との接地部の幅が狭まった時には、第二可動部の接地点より後方に位置することによって、歩行玩具は、その重心位置を変化させながら、歩行動作を確実に行わせることができる。
【００２４】
請求項９記載の発明によれば、歩行玩具に、歩行玩具の永久磁石の前方磁極と同磁極の磁石を前から近づけることにより、近づけた磁石を避ける方向に進行方向を変化させたり、また逆極性の磁石を近づけることにより、近づけた磁石に向けて進行方向を変化させたりすることができ、容易に歩行玩具の歩行方向を変更できる。
【００２５】
請求項１０記載の発明によれば、磁石を箱に収納し、歩行玩具の永久磁石における前方磁極と同極側の前記箱の表面には怖い顔を描き、歩行玩具の永久磁石における前方磁極と逆極側の箱の表面にはにこやかな顔を描き、この箱に収納した磁石を歩行玩具に近づけることによって、歩行玩具としての趣向を高めることができる。
【発明を実施するための最良の形態】
【００２６】
前足を下端前方に備えた第一可動部と後足を下端に備えた第二可動部からなる歩行玩具であって、第一可動部に小型のボタン電池を収納し、第一可動部及び第二可動部は、第一可動部の側面前方上方に形成した支持軸により回動自在に結合され、第一可動部には、前方下端に電磁石を通電させるスイッチを備えると共に、支持軸から所定長さの位置に永久磁石とを備え、第二可動部は、支持軸から永久磁石と同一の長さの位置に電磁石を備え、第二可動部の下端は円弧状の曲面で形成され、第一可動部より重量が小となるように形成されている。
【００２７】
この歩行玩具の重心位置は、第一可動部と前記第二可動部の接地部が開いている時には、第二可動部の底部と地面との接地点より前方に位置し、第一可動部と第二可動部の接地部が狭まった時には、第二可動部の接地点より後方に位置している。また電磁石が磁性化したとき、電磁石と永久磁石による作用によって、第一可動部と第二可動部との接地部の幅が狭まるように作動する。
【００２８】
そして、第一可動部及び第二可動部の大部分を覆う形象体を模したカバーと、カバーの側面には、揺動可能な装飾体可動部を備えることもある。
【００２９】
また、歩行玩具に、歩行玩具の永久磁石の前方磁極と同磁極の磁石を前から近づけることにより、近づけた磁石を避ける方向に進行方向を変化させたり、また逆極性の磁石を近づけることにより、近づけた磁石に向けて進行方向を変化させたりすることができ、歩行玩具の歩行方向を変化させることができる。そして、磁石を箱に収納し、歩行玩具の永久磁石における前方磁極と同極側の箱の表面には怖い顔を描き、また歩行玩具の永久磁石における前方磁極と逆極側の箱の表面にはにこやかな顔を描くこともある。
【実施例１】
【００３０】
図１は、本発明の一実施例であり、歩行玩具の正面斜視図面である。図２は、本発明の歩行玩具の背面斜視図面となっている。図３は、本発明の歩行玩具のカバーを外した斜視図面である。歩行玩具１０は、カバー１２と、前足を備える第一可動部２０と、後足を備える第二可動部４６とから構成され、第一可動部２０は、第二可動部４６の側面に形成された支持軸２２に回動自在に軸支され、この第一可動部２０及び第二可動部４６の上方をカバー１２で覆っている。この歩行玩具１０は、第一可動部２０の底部２４に形成する前足と第二可動部４６の下端５２である後足を交互に作動させることによって、前進歩行するようになっており、非常に簡素化した構成で実施可能され、実施例での歩行玩具１０の大きさは、高さ１７．５ｍｍ、幅２２．９ｍｍ、奥行き１５ｍｍと小型化に成功している。
【００３１】
次に、図４を用いてカバー１２の説明を行う。カバー１２は、下面及び背面に開口を有する薄肉状の略立方体形状に樹脂形成され、またカバー１２の両側面の上方には、装飾体可動部１６を軸支するための軸１４が突出して形成されている。このカバー１２の正面には、犬を模した目・鼻・口が表示されている。また、該軸１４と軸着する開口穴１８が形成された薄肉方形板状の装飾体可動部１６は、犬の耳を模した形に形成され、揺動自在とされている。この装飾体可動部１６は、歩行玩具１０が歩行動作を行う際に発生する歩行玩具１０全体の揺れによって、揺動動作を行うものである。
【００３２】
次に、第一可動部２０の説明を行う。第一可動部２０は、対向する側面板と、この側面板の下方で両側面板と接続する底面板とからなる略コの字形状に形成され、両側面の間の前面側には、永久磁石３０を固着させる磁石受け２６が形成され、この磁石受け２６は、厚肉円盤状に形成された永久磁石３０の周縁と密着するように、厚肉円筒状に膨出して形成され、永久磁石３０を固着している。また、後面側に形成された電池受け（図示しない）も磁石受け２６と同様に厚肉円盤状とされ、小型のボタン電池である電池３６の周縁と密着するように厚肉円盤状に膨出されている。この後面側の電池受けは、薄肉方形状に形成された電池蓋３８によって、覆われるようになっている。
【００３３】
次に、第一可動部２０の両側面には、突出する支持軸２２が形成されており、該支持軸２２は、第二可動部４６に形成された軸穴４８を軸支するようになっている。そして、第一可動部２０の底部２４の前方向の端辺は、側面板よりも前方に延設され、犬の前足を模した形に形成された接地部である前足とする。また、この前方端辺近傍には、スイッチ３２が貫通する方形状の開口２８が形成されている。
【００３４】
また、スイッチ３２は、後述する電磁石５４を通電させる為のスイッチ３２で、第一可動部２０の底部２４に形成された開口２８に摺動可能に挿嵌されている。スイッチ３２は、厚肉方形状に形成され、長手方向の両端辺が、鍔状に左右へ膨出している。また、スイッチ３２の中央近傍には、凹部３４が形成され、該凹部３４内に後述する第一配線４０及び第三配線４４の接片４５が配設されている。
【００３５】
次に、第二可動部４６の説明を行う。後足を下端に形成する第二可動部４６は、対向する側面板と、この側面板の前方で両側面板と接続する正面板とからなる略コの字形状で薄肉板状に形成されている。両側面の上方には、第一可動部２０の支持軸２２に軸支される軸穴４８が形成されている。また、正面には、エナメル線などを巻いて薄肉円盤状に形成された電磁石５４の外縁と密着するように、薄肉円盤状の凹部となる電磁石受け５０が形成されている。また、第二可動部４６の両側面の接地部となる下端５２は、円弧状の曲面で形成されている。この円弧は、第二可動部４６の両側面に形成された軸穴４８を中心とする円弧に略等しい円弧として後足を形成している。尚、第二可動部４６の軸穴４８から下端５２までの長さは、第一可動部２０の支持軸２２から側面板の下端までの長さよりも僅かに長く形成している。また、この第二可動部４６は、第一可動部２０よりも重量が軽くなるように形成されており、第二可動部４６の下端５２となる後足を回動させる際に地面との摩擦を少なくしている。
【００３６】
また、第一可動部２０の永久磁石３０と第二可動部４６の電磁石５４は、支持軸２２から同一の長さの位置に配設されており、永久磁石３０と電磁石５４は、対向する位置に配設されるようになっている。また、電磁石５４に用いられる電線は、非磁性体となる電線を用いることが望ましいが、磁性体となる電線であっても構わない。また、電磁石５４は、通電された時に、永久磁石３０と反発する磁界を発生するようにされている。
【００３７】
図５を用いて、歩行玩具１０の電気配線の説明を行う。歩行玩具１０の電気配線は、第一配線４０、第二配線４２、第三配線４４で構成されている。第一配線４０は、スイッチ３２から第一可動部２０の後面側に設けられた電池３６までの間の電線であり、第一配線４０のスイッチ３２側の端部４１は、薄板状に形成されている。また、第二配線４２は、第一可動部２０の後面側に設けられた電池３６から第二可動部４６に設けられた電磁石５４までの間の電線であり、電池３６側の接触片４３が、電池３６の裏面に接触している。
【００３８】
また、第三配線４４は、スイッチ３２の接片４５から第二可動部４６に設けられた電磁石５４までの間の電線であり、スイッチ３２側の接片４５は、第一配線４０の端部４１と接触し易いように釣り針形状に屈曲されている。このように、歩行玩具１０の電気配線も簡素化しており、小型化を容易にしている。
【００３９】
そして、第一可動部２０の開口２８に摺動可能に挿嵌されたスイッチ３２が摺動することによって、第一配線４０の薄板と第三配線４４に接続された接片４５が接触し通電する。これにより、第一配線４０と第三配線４４が通電し、第二可動部４６に設けられた電磁石５４に通電され、電磁石５４は磁性化し、第一可動部２０に設けられた永久磁石３０と反発するようになっている。
【００４０】
次に、図６を用いて歩行玩具１０の動作について説明を行う。歩行玩具１０を地面に載置すると、まず後足となる第二可動部４６の下端５２が、図６（Ｃ）示すように地面と接触する。この時に、第一可動部２０の底部２４は、接触しておらず、歩行玩具１０の重心Ｇは、永久磁石３０や電磁石５４の重量から接地点Ｐよりも前方にあることから、歩行玩具１０は、前のめりに傾き、図６（Ａ）に示すように、重心Ｇが支持軸２２の下方に位置すると共に、前足となる第一可動部２０の底部２４の前方の接地部となる前足と地面とが接触し、同底部２４に備えたスイッチ３２も地面と接触状態となる。この時点では、第二可動部４６の永久磁石３０と第一可動部２０の電磁石５４は、略当接状態となっている。
【００４１】
そして、スイッチ３２が、地面と接触状態となったことにより、スイッチ３２は、歩行玩具１０の自重によって押圧され、スイッチ３２が摺動することによって、第一配線４０の端部４１と接片４５が接触し、電磁石５４に電池３６の電力が供給されることになり、第二可動部４６に配設された電磁石５４は、磁性化し、第一可動部２０の前面側に配設された永久磁石３０と反発するようになる。
【００４２】
また、第二可動部４６の下端５２は円弧状に形成されていると共に、第一可動部２０よりも重量が軽く形成されている為、地面との摩擦抵抗が少ないことから、電磁石５４と永久磁石３０間の反発力によって、図６（Ｂ）に示すように、第二可動部４６の正面板が前方に押し出され、側面板が前方に引き寄せられ、第二可動部４６は、支持軸２２を中心に前方向へと回動する。そして、第二可動部４６が回動したことによって、第二可動部４６と第一可動部２０との間に隙間が生じると共に、第二可動部４６の接地点Ｐが重心Ｇより、前方に移動する。
【００４３】
このため、第一可動部２０及び第二可動部４６は、前方を持ち上げるように回転し、第二可動部４６の接地点Ｐを僅かに後方へ移動させる。そして、この回転に伴ってスイッチ３２は、地面と非接触状態となる。このため、スイッチ３２は復動し、第一配線４０の端部４１と第三配線４４の接片４５が非接触状態となることから、電磁石５４への電力供給は遮断させることとなる。
【００４４】
そして、スイッチ３２の復動に伴う電力供給の遮断により、電磁石５４の磁力が失われることによって、電磁石５４と永久磁石３０間の反発力も失われる。これにより、電磁石５４と永久磁石３０との反発力が消失し、第一可動部２０の重心が第一可動部２０の支持軸２２より後方に位置し、第一可動部２０と第二可動部４６が第一可動部２０の前方上方に形成した支持軸２２で回動自在に結合されているため、第一可動部２０は、その自重によって支持軸２２を中心に前方へと回動し始める。
【００４５】
この第一可動部２０の回転に伴って、重心Ｇが第二可動部４６の接地点Ｐよりも前方に移動すると、第一可動部２０の底部前方となる接地部を降下させ始める。これにより、再び、第二可動部４６の永久磁石３０と第一可動部２０の電磁石５４は、略当接状態となり、且つ、重心Ｇが接地点Ｐよりも前方となって、歩行玩具１０は、初期状態となる図６（Ｃ）の状態に復帰する。したがって、歩行玩具１０は、図６（Ａ）〜（Ｃ）の動作を連続して繰り返すことによって、歩行動作を行うものである。
【００４６】
また、歩行玩具１０の歩幅は、図６（Ｄ）に示すように第一可動部２０の底部の前方端の接地部となる前足が、第一可動部２０が支持軸２２を中心に前方に回動したことによって、前足が前方に移動した分だけ、前進歩行したことになる。
【００４７】
図７及び図８を用いて、この歩行玩具１０の遊び方について説明する。歩行玩具１０に、薄肉方形状の永久磁石３０となる磁性板５６を組み合わせて遊ぶことができる。例えば、歩行玩具１０の第一可動部２０に備えた永久磁石３０の前方側の磁極をＳ極とした場合、この磁性板５６のＳ極の面に、「ブルドック」や大型犬の表示を行い、Ｎ極の面には、「雌犬」や餌などの表示を行うようにする。
【００４８】
歩行動作を行い前進する歩行玩具１０の前に、Ｎ極の面となる雌犬を表示した面を歩行玩具１０に向けて近づけると、歩行玩具１０内の永久磁石３０と磁性板５６との磁力で、歩行玩具１０は引っ張られて、図７に示すように自然と、磁性板５６の方向へと歩行するようになる。また、Ｓ極の面となるブルドックを表示した面を歩行玩具１０に向けて近づけると、歩行玩具１０内の永久磁石３０と磁性板５６との磁力で、歩行玩具１０は、図８に示すように逆方向へと方向転換しつつ、離れていくように歩行動作を行うようにすることができる。
【００４９】
また、例えば、磁石（図示しない）を箱（図示しない）などに収納して、歩行玩具１０の永久磁石３０における前方磁極と同極側の箱の表面に「怖い顔」を表示し、また歩行玩具１０の永久磁石３０における前方磁極と逆極側の箱の表面には「にこやかな顔」を表示する。この箱の「怖い顔」が表示された面を、歩行玩具１０の前から近づけることにより、歩行玩具１０の歩行方向を近づけた箱を避ける方向に変化させたり、また「にこやかな顔」を表示された面を近づけることにより、近づけた箱に向けて進行方向を変化させたりすることもできる。
【００５０】
この以上説明したように構成することにより、内部構造を簡略化することで更に小型化し、電磁石と永久磁石を用いて歩行を可能とする歩行玩具を提供することができる。また、好ましい実施例を挙げて本発明を説明したが、本発明はその実施例に限定されるものではなく、特許請求の範囲に記載した技術的範囲内で種々に改変できる。
【図面の簡単な説明】
【００５１】
【図１】本発明の一実施例である歩行玩具の正面斜視図面である。
【図２】本発明の一実施例である歩行玩具の背面斜視図面である。
【図３】本発明の一実施例である歩行玩具のカバーを取り外した斜視図面である。
【図４】本発明の一実施例である歩行玩具の分解斜視図面である。
【図５】本発明の一実施例である歩行玩具の電気配線を示す図である。
【図６】本発明の一実施例である歩行玩具の動作を示す図である。
【図７】本発明の一実施例である歩行玩具の遊戯例を示す図である。
【図８】本発明の一実施例である歩行玩具の遊戯例を示す図である。
【符号の説明】
【００５２】
１０  歩行玩具
１２  カバー
１４  軸
１６  装飾体可動部
１８  開口穴
２０  第一可動部
２２  支持軸
２４  底部
２６  磁石受け
２８  開口
３０  永久磁石
３２  スイッチ
３４  凹部
３６  電池
３８  電池蓋
４０  第一配線
４１  端部
４２  第二配線
４３  接触片
４４  第三配線
４５  接片
４６  第二可動部
４８  軸穴
５０  電磁石受け
５２  底部
５４  電磁石
５６  磁性板
【図１】
2008048879.tif 000003
【図２】
2008048879.tif 000004
【図３】
2008048879.tif 000005
【図４】
2008048879.tif 000006
【図５】
2008048879.tif 000007
【図６】
2008048879.tif 000008
【図７】
2008048879.tif 000009
【図８】
2008048879.tif 000010